(57)【特許請求の範囲】
【請求項１】
弦楽器のボディ表面側のトレモロユニットに取り付けられ、その操作により前記トレモロユニットの揺動部を揺動して弦の張力を変化させることによって、音程変化を得るトレモロアームであって、
互いに対向し、トレモロユニットに取り外し自在に取り付けられる二つの取付部と、トレモロユニット上の弦の張設方向に略直交するように、前記両取付部間に一体に形成された操作部とで構成されている
ことを特徴とするトレモロアーム。
【請求項２】
操作部が両取付部に対して弦の張設方向の後方に位置するように、トレモロユニットに取り付けられる請求項１に記載のトレモロアーム。
【請求項３】
両取付部のそれぞれに屈曲部を有している請求項１又は２に記載のトレモロアーム。
【請求項４】
弦楽器のボディに対して揺動自在に取り付けられるベースプレートと、
前記ベースプレート上に配置され、弦を支持するブリッジサドルと、
前記ベースプレート裏面に突設されたトレモロブロックと、
前記トレモロブロックに張架され、ボディ表面側に張られた弦の張力と前記ベースプレートとの平衡状態を保つためのトレモロスプリングと、
前記ベースプレートに取り付けられ、該ベースプレートの揺動を操るためのトレモロアームとを備え、
前記トレモロアームが、前記請求項１ないし３の何れか１項に記載されたトレモロアームであり、該トレモロアームの両取付部がベースプレートのブリッジサドル配設部両側に取り外し自在に取り付けられている
ことを特徴とするトレモロ装置。
【請求項５】
ベースプレートのブリッジサドル配設部両側に、取付部挿通孔を有する筒状受け部材がそれぞれ設けられ、該筒状受け部材に、その外周壁の所定高さ位置に前記取付部挿通孔と連通して形成された開口から内壁面よりも突出するように挿入される係止爪部を有する係止用バネ部材が固着されると共に、
トレモロアームの両取付部が前記筒状受け部材の取付部挿通孔内に挿通可能に形成され、その両取付部の少なくとも一方の端末部外周壁に、該取付部の取付部挿通孔への挿入時に前記係止爪部と係合可能な凹溝が形成されている請求項４に記載のトレモロ装置。
【請求項６】
一方の取付部における筒状受け部材の取付部挿通孔内に挿通される部位の外径が、他方の取付部の前記取付部挿通孔内に挿通される部位の外径よりも小さくされている請求項５に記載のトレモロ装置。
【請求項７】
ボディに対するベースプレートの揺動支点からトレモロアームの操作部の延長線上までの距離が３０〜８０ｍｍである請求項４ないし６の何れか１項に記載のトレモロ装置。
【請求項８】
ブリッジサドルが、ベースプレート上に、各弦に対応してそれぞれ独立して複数配置される請求項４ないし７の何れか１項に記載のトレモロ装置。
【請求項９】
各ブリッジサドルは、ベースプレートに固定されるサドル保持部材と、該サドル保持部材に軸部を介して回動調節可能に軸支され、弦受け部を有するサドル本体と、該サドル本体の後部に設けられた回動調節棒とを備え、
ベースプレートの裏面側に、前記各ブリッジサドルの回動調節棒を常時サドル本体の前方回転方向に付勢する付勢手段が設けられ、
ベースプレートの後部表面に、前記付勢手段により付勢された回動調節棒と接し、その前進後退動によりサドル本体を回動させる調節ねじ部材が各ブリッジサドルに対応して複数設けられ、
前記各調節ねじ部材の上方に操作部が位置するようにトレモロアームが取り付けられている請求項８に記載のトレモロ装置。
【請求項１０】
弦楽器の弦長を調節するためのブリッジと独立して設けられ、前記弦の末端を固定するテールピースをトレモロユニットとするトレモロ装置であって、
ボディに対して揺動自在に取り付けられ、弦の末端を固定する弦末端固定部を有するテールピース本体と、
前記テールピース本体裏面に突設されたトレモロブロックと、
前記トレモロブロックに張架され、ボディ表面側に張られた弦の張力と前記テールピース本体との平衡状態を保つためのトレモロスプリングと、
前記テールピース本体に取り付けられ、該テールピース本体の揺動を操るためのトレモロアームとを備え、
前記トレモロアームが、前記請求項１ないし３の何れか１項に記載されたトレモロアームであり、該トレモロアームの両取付部がテールピース本体に取り外し自在に取り付けられている
ことを特徴とするトレモロ装置。
【請求項１１】
弦楽器の弦長を調節するためのブリッジと独立して設けられ、前記弦の末端を固定するテールピースをトレモロユニットとするトレモロ装置であって、
ボディ表面に固着され、二つの軸受け部を有するテールピース本体と、
前記テールピース本体の軸受け部に軸支され、弦の末端を固定する弦末端固定用軸部と、該弦末端固定用軸部の両端側にそれぞれ設けられた二つのジョイント部とからなる弦末端固定部材と、
前記テールピース本体と弦末端固定部材の両ジョイント部との間にそれぞれ装着され、前記両ジョイント部を付勢する二つのスプリングと、
前記弦末端固定部材のジョイント部に取り付けられ、該ジョイント部の揺動を操るためのトレモロアームとを備え、
前記トレモロアームが、前記請求項１ないし３の何れか１項に記載されたトレモロアームであり、該トレモロアームの両取付部が前記両ジョイント部に取り外し自在に取り付けられている
ことを特徴とするトレモロ装置。
【発明の詳細な説明】
【０００１】
【発明の属する技術分野】
本発明は、電気ギター等の弦楽器における弦の張力を強弱させるトレモロユニット機構及びそのトレモロアームに関する。
【０００２】
【従来の技術】
従来から、例えばエレキギターやベースギター等の電気弦楽器においては、該電気弦楽器の特殊演奏の装置として、トレモロ装置があった。このトレモロ装置には、ブリッジサドルが取り付けられているベースプレートを揺動させる方式と、弦の末端を固定するテールピースだけを揺動させる方式とがある。何れの方式においても、揺動する部分（ブリッジサドル若しくはベースプレート又はテールピース）に弦の末端が固定され、前記ベースプレート又はテールピースにトレモロアーム（トレモロレバーとも称される。）が取り付けられ、該トレモロアームを上下に操作し、弦のピッチ（張力）を変化させることにより、弦の音程を変え、トレモロ効果やビブラート効果が得られるようになっている。
【０００３】
従来における前記トレモロアームとしては、一本の所定長の金属製棒部材からなるものが多用されている。この棒状トレモロアームは、その取付用端部がベースプレート又はテールピースに回転可能に取り付けられ、前記取付用端部の反対側の操作用端部がボディ表面から所定の間隔だけ離されている。また、通常、前記棒状トレモロアームの操作用端部は、トレモロ装置の揺動部分の揺動支点より前方（ネック方向）に位置する、より具体的に言えば、演奏者がピッキング（弾弦）する位置の近傍に位置することが多く、そのため、前記操作用端部側をボディ側へ押すことでピッチダウン（音程が下降）し、逆に操作用端部側を手前に引くことでピッチアップ（音程が上昇）が得られるようになっている。
【０００４】
しかし、前記従来の棒状トレモロアームでは、操作用端部が弦をピッキングする位置に近いため、演奏者が当該トレモロアームを操作しない、つまり弦のピッチを変化させない演奏時においては、当該トレモロアームが演奏の邪魔になることが多く、特殊演奏（トレモロ演奏等）を余り行わない演奏者達においては、演奏の邪魔にならないトレモロアームの要望が多くあった。
【０００５】
また、前記トレモロアームにおいては、一側の取付用端部をボルトやナット等でベースプレート又はテールピースに回転可能な状態で取り付けられているためトレモロアーム操作時にトレモロアームが回転したりして、当該トレモロアーム操作時の安定性が良いとは言い難かった。
【０００６】
さらに、最近の音楽形態においては、変化幅が比較的小さい微妙なピッチ変化（音程変化）を要求されることもあるが、上記従来の棒状トレモロアームでは、前記微妙な音程変化を得るのは困難であった。またさらに、最近の演奏者の中には、ピッチアップ（音程の上昇）のみを要求する者が現れているが、そのようにピッチアップを得るためにトレモロアームの操作用端部側を引き上げながら弦をピッキングするのは、熟練した演奏者と言えども至難の業であった。なお、希に、前記棒状トレモロアームにあっては、取付用端部を回転させて操作用端部を取付用端部より後方に位置させ、前記操作用端部側をボディ側へ押し下げることでピッチアップし、操作用端部側を手前に引くことでピッチダウンするようにすることもあるが、この場合には、ピッキング位置と前記操作用端部が遠く離れてしまうので、弦をピッキングしながらトレモロアームを操作することは依然困難であった。
【０００７】
加えて、ブリッジサドルが取り付けられているベースプレートを揺動させる方式においては、弦のチューニング（調弦）を行うための調節ねじ部材がボディ表面側に配設されていることが多いため、棒状トレモロアームの操作時等の演奏時に前記調節ねじ部材に触れ、チューニングに狂いが生じるおそれがあった。
【０００８】
【発明が解決しようとする課題】
本発明は、このような状況に鑑みなされたもので、トレモロ演奏をしない時の演奏の邪魔になるのを避け、トレモロ演奏中の操作性及び安定性を向上でき、しかも、演奏中における弦楽器のチューニングの狂いを最小限に抑えることができ、さらには微妙なピッチ変化を容易に得ることができるトレモロアーム及びトレモロ装置を提供することを目的とする。
【０００９】
【課題を解決するための手段】
すなわち、請求項１の発明は、弦楽器のボディ表面側のトレモロユニットに取り付けられ、その操作により前記トレモロユニットの揺動部を揺動して弦の張力を変化させることによって、音程変化を得るトレモロアームであって、互いに対向し、トレモロユニットに取り外し自在に取り付けられる二つの取付部と、トレモロユニット上の弦の張設方向に略直交するように、前記両取付部間に一体に形成された操作部とで構成されていることを特徴とするトレモロアームに係る。
【００１０】
請求項２の発明は、請求項１において、操作部が両取付部に対して弦の張設方向の後方に位置するように、トレモロユニットに取り付けられることを特徴とする。また、請求項３の発明は、請求項１又は２において、両取付部のそれぞれに屈曲部を有していることを特徴とする。
【００１１】
請求項４の発明は、弦楽器のボディに対して揺動自在に取り付けられるベースプレートと、前記ベースプレート上に配置され、弦を支持するブリッジサドルと、前記ベースプレート裏面に突設されたトレモロブロックと、前記トレモロブロックに張架され、ボディ表面側に張られた弦の張力と前記ベースプレートとの平衡状態を保つためのトレモロスプリングと、前記ベースプレートに取り付けられ、該ベースプレートの揺動を操るためのトレモロアームとを備え、前記トレモロアームが、前記請求項１ないし３の何れか１項に記載されたトレモロアームであり、該トレモロアームの両取付部がベースプレートのブリッジサドル配設部両側に取り外し自在に取り付けられていることを特徴とするトレモロ装置に係る。
【００１２】
請求項５の発明は、請求項４において、ベースプレートのブリッジサドル配設部両側に、取付部挿通孔を有する筒状受け部材がそれぞれ設けられ、該筒状受け部材に、その外周壁の所定高さ位置に前記取付部挿通孔と連通して形成された開口から内壁面よりも突出するように挿入される係止爪部を有する係止用バネ部材が固着されると共に、トレモロアームの両取付部が前記筒状受け部材の取付部挿通孔内に挿通可能に形成され、その両取付部の少なくとも一方の端末部外周壁に、該取付部の取付部挿通孔への挿入時に前記係止爪部と係合可能な凹溝が形成されていることを特徴とする。また、請求項６の発明は、請求項５において、一方の取付部における筒状受け部材の取付部挿通孔内に挿通される部位の外径が、他方の取付部の前記取付部挿通孔内に挿通される部位の外径よりも小さくされていることを特徴とする。
【００１３】
請求項７の発明は、請求項４ないし６の何れかにおいて、ボディに対するベースプレートの揺動支点からトレモロアームの操作部の延長線上までの距離が３０〜８０ｍｍであることを特徴とする。
【００１４】
請求項８の発明は、請求項４ないし７の何れかにおいて、ブリッジサドルが、ベースプレート上に、各弦に対応してそれぞれ独立して複数配置されることを特徴とする。また、請求項９の発明は、請求項８において、各ブリッジサドルは、ベースプレートに固定されるサドル保持部材と、該サドル保持部材に軸部を介して回動調節可能に軸支され、弦受け部を有するサドル本体と、該サドル本体の後部に設けられた回動調節棒とを備え、ベースプレートの裏面側に、前記各ブリッジサドルの回動調節棒を常時サドル本体の前方回転方向に付勢する付勢手段が設けられ、ベースプレートの後部表面に、前記付勢手段により付勢された回動調節棒と接し、その前進後退動によりサドル本体を回動させる調節ねじ部材が各ブリッジサドルに対応して複数設けられ、前記各調節ねじ部材の上方に操作部が位置するようにトレモロアームが取り付けられていることを特徴とする。
【００１５】
請求項１０の発明は、弦楽器の弦長を調節するためのブリッジと独立して設けられ、前記弦の末端を固定するテールピースをトレモロユニットとするトレモロ装置であって、ボディに対して揺動自在に取り付けられ、弦の末端を固定する弦末端固定部を有するテールピース本体と、前記テールピース本体裏面に突設されたトレモロブロックと、前記トレモロブロックに張架され、ボディ表面側に張られた弦の張力と前記テールピース本体との平衡状態を保つためのトレモロスプリングと、前記テールピース本体に取り付けられ、該テールピース本体の揺動を操るためのトレモロアームとを備え、前記トレモロアームが、前記請求項１ないし３の何れか１項に記載されたトレモロアームであり、該トレモロアームの両取付部がテールピース本体に取り外し自在に取り付けられていることを特徴とするトレモロ装置に係る。
【００１６】
請求項１１の発明は、弦楽器の弦長を調節するためのブリッジと独立して設けられ、前記弦の末端を固定するテールピースをトレモロユニットとするトレモロ装置であって、ボディ表面に固着され、二つの軸受け部を有するテールピース本体と、前記テールピース本体の軸受け部に軸支され、弦の末端を固定する弦末端固定用軸部と、該弦末端固定用軸部の両端側にそれぞれ設けられた二つのジョイント部とからなる弦末端固定部材と、前記テールピース本体と弦末端固定部材の両ジョイント部との間にそれぞれ装着され、前記両ジョイント部を付勢する二つのスプリングと、前記弦末端固定部材のジョイント部に取り付けられ、該ジョイント部の揺動を操るためのトレモロアームとを備え、前記トレモロアームが、前記請求項１ないし３の何れか１項に記載されたトレモロアームであり、該トレモロアームの両取付部が前記両ジョイント部に取り外し自在に取り付けられている
ことを特徴とするトレモロ装置に係る。
【００１７】
【発明の実施の形態】
以下添付の図面に従って本発明を詳細に説明する。
図１は本発明の第１実施例に係るトレモロ装置を有するエレキギターの斜視図、図２は同実施例におけるトレモロ装置の一部部材を省略した状態を示す斜視図、図３は同実施例におけるトレモロ装置及びその周辺を示す断面図、図４は同実施例のトレモロ装置に取り付けられるトレモロアームを示す斜視図、図５は同実施例におけるトレモロアームの取付構造を示す断面図である。また、図６は本発明の第２実施例におけるトレモロアーム及びその細い取付部側における取付構造を示す図、図７は本発明の第３実施例におけるトレモロアーム及びその短い取付部側における取付構造を示す図、図８は本発明の第４実施例に係るトレモロ装置の一部部材を省略した状態を示す斜視図、図９は同実施例のトレモロ装置に取り付けられるトレモロアームを示す斜視図、図１０は本発明の第５実施例に係るトレモロアーム及びその取付構造を示す図、図１１は本発明の第６実施例に係るトレモロ装置の一部部材を省略した状態を示す斜視図、図１２は同実施例のトレモロ装置に取り付けられるトレモロアームを示す斜視図、図１３は本発明の第７実施例に係るトレモロ装置の一部部材を省略した状態を示す斜視図、図１４は本発明の第８実施例に係るトレモロ装置の一部部材を省略した状態を示す斜視図、図１５は本発明の第９実施例に係るテールピース式トレモロ装置の一部部材を省略した状態を示す斜視図、図１６は本発明の第１０実施例に係るテールピース式トレモロ装置を示す斜視図、図１７は同実施例のトレモロ装置に取り付けられるトレモロアームを示す斜視図である。
【００１８】
〔第１実施例〕
図１に示す弦楽器、ここではエレキギターＧは、本発明の一実施例に係るもので、ネックＮとボディＢを有している。前記ネックＮの前端にはヘッドＨが設けられ、該ヘッドＨ部分で各弦Ｓの一端が弦柱Ｎｂにより保持固定されている。なお、図の符号Ｎｃは前記弦柱Ｎｂと連結され、調弦を行うための糸巻き装置である。また、前記ボディＢ面上には、調弦装置及び音程変化装置として、トレモロ装置１が取り付けられ、該トレモロ装置１部分で各弦Ｓの一端（前記ヘッドＨ側とは反対側の端）が保持固定されている。
【００１９】
前記トレモロ装置１は、図２及び図３から理解されるように、ボディＢにその表面Ｂａに対して揺動自在となるように取り付けられたベースプレート１０と、該ベースプレート１０上に配置され、弦Ｓを支持するブリッジサドル２０とを備えている。この実施例では、ベースプレート１０上に各弦Ｓに対応してそれぞれ独立した複数（図では６つ）のブリッジサドル２０が配置され、各弦Ｓ毎の音色調整が可能に構成されている。なお、図２の（Ａ）はトレモロ装置１を斜め前方から見た斜視図、同図の（Ｂ）は同トレモロ装置１を斜め後方から見た斜視図であり、また、図３の（Ａ）はトレモロ演奏をしない場合におけるトレモロ装置１及びその周辺を示す断面図、同図の（Ｂ）はトレモロ演奏をする場合におけるトレモロ装置１及びその周辺を示す断面図である。また、図２の各図では、便宜のため、後述のトレモロブロックやトレモロスプリング等を省略して図示している。
【００２０】
この実施例における前記ベースプレート１０は、その前部１０ａの両端に形成されたナイフエッジ部１１，１２でスタッドボルトＢｓによって、揺動可能に固定されている。また、この実施例では、当該ベースプレート１０の略中央に開口溝１３が各ブリッジサドル２０の位置に合わせて複数形成されている。
【００２１】
実施例の各ブリッジサドル２０は、サドル保持部材２１とサドル本体２５と回動調節棒３１とを備えている。
前記サドル保持部材２１は、前記ベースプレート１０上に前後調節可能に固定されている。図示の例では、サドル保持部材２１の前部の底部に切り欠き部２２が形成され、該切り欠き部２２を介して固定ボルト２３によりベースプレート１０に前後位置調節可能に固定されている。
【００２２】
前記サドル本体２５は、前記サドル保持部材２１に、弦の張設方向Ｘに直交する軸部２６を介して、前後方向に回動調節可能に軸支されている。このサドル本体２５は、その前部に曲面形状に形成された弦受け部２７を有している。また、後部には弦固定用凹部２８が形成され、該弦固定用凹部２８の内壁と弦固定ブロック２９とで弦Ｓの末端を挟むことにより弦Ｓを固定するようになっている。また、前記弦固定ブロック２９は、前記弦固定用凹部２８内へ螺入される後述の回動調節棒３１の先端部分で保持固定されるようになっている。勿論、前記弦固定ブロック２９を保持固定するねじ部材と回動調節棒３１とを併用して設けずに、前記ねじ部材を回動調節棒３１とは別に設けるようにしてもよい。
【００２３】
前記各サドル本体２５の後部には、該サドル本体２５の前後方向の回動調節を自在に操るための回動調節棒３１が、後方に向けて突設されている。当該回動調節棒３１は、前記ベースプレート１０の開口溝１３に挿通される。また、この回動調節棒３１に対応して、前記ベースプレート１０の裏面側には、前記各回動調節棒３１を常時サドル本体２５の前方回転方向に付勢する板バネ等からなる付勢手段３５が設けられていると共に、ベースプレート１０の後部１０ｂ表面には、前記付勢手段３５により付勢された各回動調節棒３１と接触し、その前進後退動（図では上下動）により前記各サドル本体２５を回動させて張弦を行う調節ねじ部材（ファインチューニングボルト）３６が設けられている。なお、前記調節ねじ部材３６を時計回りに回動させると、回動調節棒３１は下がり（後方回転方向に回動し）、これに連動してサドル本体２５が後方へ回動することによって、弦のピッチ（張力）が上がる。逆に、前記調節ねじ部材３６を反時計回りに回動させると、回動調節棒３１は上がり（前方回転方向に回動し）、これに連動してサドル本体２５が前方へ回動することによって、弦のピッチ（張力）が下がる。
【００２４】
なお、この実施例では、各ブリッジサドル２０は、サドル保持部材２１とサドル本体２５を有するロッキングタイプとされているが、勿論、本発明はこれに限定されず、ブリッジサドルを一般的なノンロッキングタイプにしてもよい。さらに、実施例では、ベースプレート１０上に、複数のブリッジサドル２０が各弦Ｓに対応してそれぞれ独立して配置され、各弦Ｓ毎の音色調整が可能となっているが、これに限定されることなく、１ピースタイプのブリッジサドルをベースプレート上に設けるようにしてもよい。
【００２５】
また、図３から理解されるように、前記ベースプレート１０の裏面側には、トレモロブロック４０が突設されていると共に、該トレモロブロック４０とボディＢ間にトレモロスプリング４５が張架されている。前記トレモロブロック４０は、前記揺動自在のベースプレート１０のモーメントを上げるためのものでもある。また、前記トレモロスプリング４５は、ボディＢ表面側に張られた各弦Ｓの張力と前記ベースプレート１０の平衡状態を保つためのものである。図示の例では、トレモロスプリング４５の一端側がボディＢにビス４７で固着されたトレモロスプリング固定部材４６に係着され、他端側がトレモロブロック４０の下部に係着されている。
【００２６】
ここで、上記の如く揺動自在となったベースプレート１０は、弾弦による弦振動により、揺動方向に微振動を生ずる。このベースプレート１０の振動が大きい場合、弦の張力は、変わってしまい、サスティン（音の長さ）は、短いものとなってしまう。また、前記振動の大きさは、ベースプレート１０のモーメントに左右する。よって、前記トレモロブロック４０及び後述のトレモロアーム５０等は、なるべく質量の重いものである方が、ベースプレート１０のモーメントを上げ、前記ベースプレート１０の振動をなるべく小さいものにし、サスティンを長くする点において好ましい。
【００２７】
また、前記ボディＢの裏側に張設されたトレモロスプリング４５の張力とボディＢの表面側に張設される弦Ｓの張力は、互いに釣り合うように構成されているため、前記ベースプレート１０は、トレモロ演奏しない場合にはフローティング状態（浮遊状態）を保つようになっていると共に、トレモロ演奏する場合にはベースプレート１０は、後述のトレモロアーム５０の操作により、前記スタッドボルトＢｓを揺動軸として揺動可能となる。
【００２８】
前記揺動可能となったベースプレート１０の揺動を自在に操るためのトレモロアーム５０は、ベースプレート１０の表面側に取り付けられる。このトレモロアーム５０は、図４から分かるように、互いに対向し、かつ平行な前記ベースプレート１０のブリッジサドル配設部両側に取り外し自在に取り付けられる二つの取付部５１，５２と、該両取付部５１，５２の取付端部５３，５４の反対側端部間に一体に形成された操作部５５とで構成されている。前記操作部５５は、ベースプレート１０上に張設される各弦Ｓの張設方向Ｘと略直交するように形成される。
【００２９】
実施例におけるトレモロアーム５０は、一本の金属等からなる棒状部材や平板等のアーム素材を４つの支点で屈曲させることにより製造された、平面視略コの字形状（又は略Ｕ字形状）のものよりなる。なお、この例では、前記アーム素材として、炭素含有量の多いスチール材からなる直径４〜６ｍｍの丸棒が採用されている。ここで、図示の例では、トレモロアーム５０の一端部（前記取付端部５３）から第一屈曲部Ｚ１までを第一辺部５０ａとし、第一屈曲部Ｚ１から第二屈曲部Ｚ２（その屈曲方向は第一屈曲部Ｚ１の屈曲方向と略直交する。）までを第二辺部５０ｂ、第二屈曲部Ｚ２から第三屈曲部Ｚ３（この屈曲部Ｚ３は第二屈曲部Ｚ２と略同一平面上で屈曲している。）までを第三辺部５０ｃ、第三屈曲部Ｚ３から第四屈曲部Ｚ４（その屈曲方向は第三屈曲部Ｚ３の屈曲方向と略直交する。）までを第四辺部５０ｄ、第四屈曲部Ｚ４から端部（前記取付端部５４）までを第五辺部５０ｅとする。そして、前記第一辺部５０ａ及び第二辺部５０ｂが第一取付部５１に相当し、第三辺部５０ｃが操作部５５に相当し、第四辺部５０ｄ及び第五辺部５０ｅが第二取付部５２に相当する。また、図示のトレモロアーム５０は、操作部５５中心を中心とした対称形状となっていると共に、各屈曲部Ｚ１〜Ｚ４における屈曲角度は約９０°となっている。勿論、前記屈曲角度は、特に限定されない。
【００３０】
前記のトレモロアーム５０は、操作部５５が両取付部５１，５２の弦張設方向Ｘの後方に位置するように、ベースプレート１０に取り付けられる。このようにすれば、前記操作部５５がブリッジサドル２０上の弦支持部分（前記サドル本体２５の弦受け部２７）からあまり離れず、しかも、操作部５５がボディＢに対するベースプレート１０の揺動支点（スタッドボルトＢｓ）からある程度離れ、モーメントがある程度大になるので、トレモロアーム５０の操作性が良くなるばかりか、弦のピッキング位置から離れるため、該ピッキングの邪魔にならない。しかも、前記操作部５５が各弦Ｓと交差するのを避けることができるので、弦振動の妨げになることもない。
【００３１】
なお、より好ましくは、ボディＢに対するベースプレート１０の一つの揺動支点（スタッドボルトＢｓ）中心ｏ１からトレモロアーム５０の操作部５５の延長線上までの距離Ｌが３０〜８０ｍｍとなるようにする。このようにすれば、より、前記トレモロアーム５０の操作性を良好にすることができる。またさらに、トレモロアーム５０の操作性を良くするには、前記操作部５５のボディＢ表面Ｂａに対する高さを低くするのが望ましい。
【００３２】
さらに、この実施例においては、当該トレモロアーム５０は、前記操作部５５がベースプレート１０後部の各調節ねじ部材３６の上方に位置するように、ベースプレート１０に取り付けられている。このようにすれば、演奏中等における前記各調節ねじ部材３６への接触を前記トレモロアーム５０の操作部５５で防ぐことができるので、チューニングの狂いを最小限に抑える効果がある。
【００３３】
次に、この実施例における前記トレモロアーム５０のベースプレート１０（トレモロユニット）への取付構造について詳述する。
この実施例においては、図２，３，５を併せて参照することにより理解されるように、前記ベースプレート１０のブリッジサドル配設部両側に、取付部挿通孔６１を有する筒状受け部材６０がそれぞれ設けられている。前記取付部挿通孔６１は、トレモロアーム５０の両取付部５１，５２（ここでは取付端部５３，５４側の第一辺部５０ａ及び第五辺部５０ｅ）を挿通できるように、該取付部挿通孔６１の内径がトレモロアーム５０の取付部５１，５２の外径よりも多少大きくされている。なお、図示の例ではベースプレート１０のブリッジサドル配設部両側に筒状受け部材取付孔１４が形成され、該筒状受け部材取付孔１４を介して前記筒状受け部材６０が螺着されている。図示の符号Ｗ１はナット部材である。
【００３４】
また、前記筒状受け部材６０には、その外周壁の所定高さ位置に前記取付部挿通孔６１と連通する開口６２が形成されると共に、先端に係止爪部６４が形成された復元性を有する係止用バネ部材６３が筒状受け部材６０に固着されている。前記係止爪部６４は、前記筒状受け部材６０の開口６２から筒状受け部材６０の内壁面よりも突出するように挿入される。なお、図５中の符号６５は、前記係止用バネ部材６３を筒状受け部材６０に固着するためのビスである。
【００３５】
一方、前記トレモロアーム５０の両取付部５１，５２の端末部（取付端部５３，５４側の第一辺部５０ａ及び第五辺部５０ｅ）は、前記筒状受け部材６０の取付部挿通孔６１内に挿通可能に形成されている。また、前記両取付部５１，５２の端末部外周壁には、該取付部５１，５２の前記筒状受け部材６０の取付部挿通孔６１への挿入時に取付部挿通孔６１内に突出した係止爪部６４と係合可能な凹溝７１が形成されている。
【００３６】
このようにしてなるトレモロアーム５０の取付構造では、前記トレモロアーム５０の取付部５１，５２を筒状受け部材６０の取付部挿通孔６１内に差し込み、前記取付部５１，５２の凹溝７１と前記取付部挿通孔６１内に突出した係止用バネ部材６３の係止爪部６４とを係合させるだけで、極めて簡単にトレモロアーム５０をベースプレート１０に取り付けることができる。しかも、前記取付部５１，５２の凹溝７１と係止用バネ部材６３の係止爪部６４の係合を解除すれば、至って簡単にトレモロアーム５０を取り外すことができる。
【００３７】
上記構造のトレモロ装置１においては、前記トレモロアーム５０の操作部５５をボディＢ方向に押さえると、図３の（Ａ）の状態から（Ｂ）の状態となるように、ベースプレート１０は弦張力に逆らって、前記スタッドボルトＢｓを支点として揺動する。これによって、各弦Ｓの張力が変更、具体的にはピッチアップされるトレモロ効果を得ることができる。なお、このトレモロ装置１は、主に前記ピッチアップする場合に好適であるが、前記トレモロアーム５０の操作部５５を手前に引くことにより、ベースプレート１０を前記方向とは反対方向に揺動させ、ピッチダウンさせることも可能である。
【００３８】
ここで、先に述べたように、炭素含有量が多く含まれる金属材料等からなる硬度の高いアーム素材を用いてトレモロアーム５０が作製される場合、加工硬化によるスプリングバックに起因して加工誤差が生じ、前記取付部挿通孔６１内に挿通される取付部５１，５２（ここでは第一辺部５０ａ及び第五辺部５０ｅ）が平行にならず、該取付部５１，５２の取付部挿通孔６１への差し込み及び抜き取りが困難となり、ひいてはトレモロアーム５０の着脱が困難になってしまう場合がある。なお、この不具合を解消するため、前記取付部挿通孔６１の内径と前記両取付部５１，５２の外径の差、つまり取付部挿通孔６１と両取付部５１，５２との隙間を大きくすることも考えられるが、その場合にはガタつき等の新たな問題の発生が懸念される。以下、前記不具合を解決するトレモロアームの取付構造の具体例について図６及び図７を用いて述べる。なお、図６及び図７において、前述の部材あるいは部位と同一なものについては同一符号が付されている。
【００３９】
〔第２実施例〕
図６に示す実施例のトレモロアーム５０Ａでは、一方の取付部５１の端末部（第１辺部５０ａ）における筒状受け部材６０の取付部挿通孔６１内に挿通される部位５１ｆの外径が、他方の取付部５２の端末部（第５辺部５０ｅ）の前記取付部挿通孔６１内に挿通される部位５１ｇの外径よりも小さくされている。前記取付部５２側の構造は、図５に示した前記実施例と同じである。また、図では、前記細くされる取付部５１の部位５１ｆの外径は、他方の取付部５２の凹溝７１の外径と略同じにされている。このようにすれば、前記一方の取付部５１の端末部と取付部挿通孔６１間である程度の隙間を確保できるので、前述の加工誤差が生じている場合であっても、両取付部５１，５２の取付部挿通孔６１への差し込み及び抜き取りがスムーズとなり、容易にトレモロアーム５０Ａの着脱を行える。しかも、当該トレモロアーム５０Ａの取付後では、外径の太い取付部５２側でしっかり保持固定されるので、トレモロアーム５０Ａが回転したり、傾いたりする心配がないと共に、ガタつき等の不具合が生じることもない。加えて、この取付構造では、それぞれの取付部５１，５２を受ける２つの筒状受け部材６０が同一構造となるため、コスト的にも有利である。また、図では前記第１辺部５０ａと第５辺部５０ｅの長さは同じである。なお、図６の（Ａ）はトレモロアーム５０Ａの斜視図、同図の（Ｂ）はトレモロアーム５０Ａの細径部５１ｆを有する取付部５１側における取付構造を示す断面図である。
【００４０】
〔第３実施例〕
また、図７に示す実施例のトレモロアーム５０Ｂでは、一方の取付部５１の端末部（第１辺部５０ａ）が、他方の取付部５２の端末部（第５辺部５０ｅ）より短くされていると共に、ベースプレート１０表面の前記取付部５１に対応する部分には取付部５１の先端形状（球形状や円錐形状等）に合致する凹部１５が形成されている。前記取付部５２側の構造は、図５に示した前記実施例と同じである。このようにすれば、先の図６及び図７に示した実施例と同様に、トレモロアーム５０Ｂの着脱は容易となる。また、トレモロアーム５０Ｂの取付後においては、トレモロアーム５０Ｂが回転したり、傾いたりする心配がないと共に、ガタつき等の不具合が生じることもない。図７の（Ａ）はトレモロアーム５０Ｂの斜視図、同図の（Ｂ）はトレモロアーム５０Ｂの取付部５１側における取付構造を示す断面図である。
【００４１】
なお、上記各実施例においては、トレモロアームの取付部を受けるための筒状受け部材６０がベースプレート１０に取り付けられる構成となっているが、ベースプレート１０に、直接、取付部挿通孔を形成するようにしてもよい。また、上記各実施例では、トレモロアームの取付部と係止用バネ部材の係止爪部を係合させるスナップ機構によりトレモロアームの固定が行われているが、本発明はこれに限定されず、例えば、筒状受け部材をゴムや樹脂等の弾性を有するもので構成し、該筒状受け部材の取付部挿通孔にトレモロアームの取付部を圧入することによって、トレモロアームを固定するようにしてもよい。この場合、より確実にトレモロアームの位置固定を行うと共に、ガタつき等を防止するため、前記弾性を有する筒状受け部材の壁部外面方向からイモネジ等で当該壁部をその内方へ押すように締め込むようにしてもよい。このように、ゴムや樹脂等の弾性を有する筒状受け部材を用いてトレモロアームを取り付けるようにすれば、前述したトレモロアームの両取付部が平行でない等の加工誤差が生じている場合であっても、その誤差を、前記筒状受け部材の弾性によって、ある程度吸収するので、良好にトレモロアームの着脱を行うことができる。加えて、前記ベースプレート裏側に配されるトレモロブロックの弦張設方向に直交する方向の長さを、トレモロアームの両取付部間の長さより長くして、該トレモロブロックの両側に前記ゴムや樹脂等からなる筒状受け部材を埋設し、該筒状受け部材を利用してトレモロアームを取り付けるようにしてもよい。
【００４２】
また、本発明では、トレモロアームの取付構造は上記差し込み方式のものに限定されない。以下、他の取付構造を採用した実施例について詳述する。なお、以下の各実施例において、前述した実施例のトレモロ装置１と同じ構成である部分については、同一の符号を用いて示すものとし、その説明は省略する。
【００４３】
〔第４実施例〕
まず、図８に示す実施例のトレモロ装置１Ｃでは、ベースプレート１０のブリッジサドル配設部両側に取付部挿通孔（図示せず）が形成されていると共に、図９からよりよく理解されるようにトレモロアーム５０Ｃの取付部５１，５２の端末部（第一辺部５０ａ及び第五辺部５０ｅ）外周にねじ部ｖが刻設され、前記取付部挿通孔に前記取付部５１，５２を挿通した後、ベースプレート１０の表裏両側に位置し、かつ前記取付部５１，５２のねじ部ｖと螺合したナット部材Ｗ２，Ｗ３によりベースプレート１０が挟着されることによって、トレモロアーム５０Ｃがベースプレート１０に取り外し可能に固定されている。勿論、下側のナット部材Ｗ３だけでトレモロアーム５０Ｃをベースプレート１０に固定するようにしてもよい。この構造では、前記取付部５１，５２のねじ部ｖとナット部材Ｗ２，Ｗ３の係合位置を変更することによって、前記トレモロアーム５０Ｃの操作部５５の高さを演奏者の好みの高さに調節することができる利点がある。なお、この実施例のトレモロ装置１Ｃのブリッジサドル２０では、サドル本体２５の弦固定ブロック２９を保持固定するねじ部材３２は、サドル本体２５の後面に設けられ、回動調節棒３１とは独立している。
【００４４】
〔第５実施例〕
また、図１０に示される実施例では、斜視図で示される同図の（Ａ）の如く、トレモロアーム５０Ｄにおける取付部５１，５２の端末部（第一辺部５０ａ及び第五辺部５０ｅ）の所定位置に、周面から突出するように棒部材７５が貫通して固定され、かつその棒部材７５の上方（屈曲部Ｚ１，Ｚ４側）に、取付部挿通孔７７及び内ねじ部７８を有するキャップ状の螺合雌部材７６が遊嵌されている。また、断面図で示される同図の（Ｂ）のように、ベースプレート１０のブリッジサドル配設部両側にねじ孔７９が形成され、該ねじ孔７９に、取付部挿通孔８１及び外ねじ部８２を有する螺合雄部材８０が前記外ねじ部８２を介して螺着されている。そして、前記トレモロアーム５０Ｄの取付部５１，５２を、前記棒部材７５の突出部分７５ａが前記螺合雄部材８０の雌部材側端面（上面）に当接するように、前記螺合雄部材８０の取付部挿通孔８１内に差し込み、前記螺合雌部材７６を螺合雄部材８０と螺合させ、該螺合雌部材７６と螺合雄部材８０で前記棒部材７５の突出部分７５ａを挟んで締め付けることによって、トレモロアーム５０Ｄがベースプレート１０に保持固定されている。
【００４５】
〔第６実施例〕
次に、図１１に示される実施例のトレモロ装置１Ｅについて説明する。このトレモロ装置１Ｅでは、図１２に示すトレモロアーム５０Ｅの取付部５１，５２の端末部（第一辺部５０ａ及び第五辺部５０ｅ）が、ベースプレート１０の中央部後側壁部１６，１７に弦の張設方向と略平行に形成されたアーム挿通孔１８，１９に差し込むようにして、当該トレモロアーム５０Ｅがベースプレート１０に取り付けられている。なお、図示の例においては、前記ベースプレート１０のアーム挿通孔１８，１９に差し込まれたトレモロアーム５０の取付部５１，５２は、ベースプレート１０側面からねじ込まれる係止ねじ８５によって固定される。また、図示の例では、前記トレモロアーム５０Ｅの第一屈曲部Ｚ１及び第四屈曲部Ｚ４は、先の実施例のトレモロアーム５０とは反対の方向へ緩やかな角度で屈曲している。図示の符号８６は前記係止ねじ８５のためにベースプレート１０側面に形成されたねじ孔であって、該ねじ孔８６は前記アーム挿通孔１８，１９と連通するように形成されている。なお、図１１の（Ａ）はトレモロ装置１Ｅを斜め前方から見た斜視図、同図の（Ｂ）は同トレモロ装置１Ｅを斜め後方から見た斜視図である。
【００４６】
〔第７実施例〕
また、図１３に示される実施例のトレモロ装置１Ｆでは、トレモロアーム５０Ｆの取付部５１，５２の端末部（第一辺部５０ａ及び第五辺部５０ｅ）が、ベースプレート１０のブリッジサドル配設部両側表面に、Ｕ字状の止め具９０を用いて固定されている。前記止め具９０は、ベースプレート１０のブリッジサドル配設部両側表面にねじ等により固定される。この実施例のトレモロアーム５０Ｆは、図１２のトレモロアーム５０Ｅと同一のものとされている。なお、図示しないが、前記トレモロアーム５０Ｆの取付部５１，５２の端末部にねじ孔を形成し、該ねじ孔を介してねじ等の固定部材により、直接、ベースプレート１０にトレモロアーム５０Ｆを固定することも考えられる。その場合、ベースプレート１０表面に前記取付部５１，５２の端末部を受けるための凹溝を形成するようにしてもよい。そうすれば、トレモロアーム５０Ｆの位置決めが容易になると共に、トレモロアーム５０Ｆの操作部５５の高さを低くすることができる。
【００４７】
〔第８実施例〕
図１４に示される実施例のトレモロ装置１Ｇのトレモロアーム５０Ｇにあっては、取付部５１，５２の取付端部５３，５４に、上下方向にねじ部材９５を挿通できるような挿通孔５６，５７が形成されている。また、ベースプレート１０のブリッジサドル配設部両側には、ねじ部材挿通孔（図示せず）が形成されている。そして、前記トレモロアーム５０Ｇは、ベースプレート１０の裏面から該ベースプレート１０のねじ部材挿通孔及びトレモロアーム５０Ｇの挿通孔５６，５７に挿通されたねじ部材９５とナット部材９６によって、前記トレモロアーム５０Ｇの取付部５１，５２の取付端部５３，５４が挟着されている。また、この実施例では、トレモロアーム５０Ｇは、ベースプレート１０に対してぐらつき難くするため、前記取付部５１，５２の端末部が平らに形成され、該平らな取付部５１，５２の端末部がベースプレート１０表面にぴったりと当接されるようになっている。
【００４８】
上記の各実施例においては、ブリッジサドルが取り付けられているベースプレートを揺動させるブリッジタイプのトレモロユニットについて説明したが、本発明は、弦楽器の弦長を調節するためのブリッジと独立して設けられ、前記弦の末端を固定するテールピースをトレモロユニットとする場合にも適用することができる。以下、テールピースタイプに適用した場合の本発明の実施例について詳述する。
【００４９】
〔第９実施例〕
図１５に示す実施例のトレモロ装置１１０は、弦長を調節するためのブリッジ１００とは独立して設けられるもので、テールピース本体１１１と、トレモロブロックと、トレモロスプリングと、トレモロアーム１２０を備えている。なお、図示のブリッジ１００に関する符号１０１は弦楽器のボディに配置されたブリッジ本体、１０２は前記ブリッジ本体１０１上に設けられた各弦Ｓを支持するためのサドル部、１０３は前記ブリッジ本体１０１をボディに固定するためのねじ部材である。
【００５０】
前記テールピース本体１１１は、軸受け部材１１２，１１３を介して弦楽器のボディに対して揺動自在に取り付けられる。このテールピース本体１１１の後部には各弦Ｓの末端を固定する溝状の弦末端固定部（引っ掛け部）１１４が複数（図では６つ）形成されている。前記テールピース本体１１１の裏面側にはトレモロブロック（図示せず）が突設されると共に、該トレモロブロックとボディ間には、ボディ表面側に張られた弦Ｓの張力と前記テールピース本体１１１との平衡状態を保つためのトレモロスプリング（図示せず）が張設される。なお、前記トレモロブロックとトレモロスプリングの構成は、先に説明したブリッジタイプの実施例と概ね同じであるため、説明は省略する。
【００５１】
前記トレモロアーム１２０は、上で図４を用いて説明したトレモロアーム５０と概ね同じ構成である。すなわち、当該トレモロアーム１２０は、二つの取付部１２１，１２２と、弦Ｓの張設方向に略直交するように前記両取付部１２１，１２２間に一体に形成された操作部１２５を有している。そして、トレモロアーム１２０は、前記取付部１２１，１２２でテールピース本体１１１の最外に位置する弦Ｓ，Ｓの両側位置に取り外し自在に取り付けられている。好ましくは、図示のように、前記取付部１２１，１２２を、テールピース本体１１１の揺動支点となる軸受け部材１１２，１１３からある程度離れた位置（弦末端固定部１１４に近い位置）で取り付けるのが良い。そうすれば、スムーズにテールピース本体１１１を揺動させることができるようになる。なお、図示の例では、前記トレモロアーム１２０のテールピース本体１１１への取付は、テールピース本体１１１に埋設されたゴムや樹脂等の弾性を有する筒状受け部材１１５，１１６内にトレモロアーム１２０の取付部１２１，１２２を圧入することによってなされている。勿論、トレモロアーム１２０の取付方法はこれに限定されず、先に説明した幾つかの実施例における取付構造等を適宜に選択することができる。
【００５２】
上記トレモロ装置１１０においては、前記トレモロアーム１２０の操作部１２５をボディ方向に押さえると、テールピース本体１１１が、弦張力に逆らって、ボディへ近接する方向（下方）に揺動し、各弦Ｓの張力が変更、具体的にはピッチアップされるトレモロ効果を得ることができる。なお、このトレモロ装置１１０は、主に前記ピッチアップする場合に好適であるが、前記トレモロアーム１２０の操作部１２５を手前に引くことにより、テールピース本体１１１を前記方向とは反対方向（ボディから離間する方向）に揺動させ、ピッチダウンさせることも可能である。
【００５３】
〔第１０実施例〕
図１６には、テールピースタイプの他の実施例に係るトレモロ装置１３０が示されている。なお、同図の（Ａ）はトレモロ装置１３０を斜め前方から見た斜視図、同図の（Ｂ）はトレモロ装置１３０を斜め後方から見た斜視図である。このトレモロ装置１３０は、図１５のトレモロ装置１１０と同様に、弦長を調節するためのブリッジと独立して設けられるもので、テールピース本体１３１と弦末端固定部材１３５と二つのスプリング１４０，１４１とトレモロアーム１５０とを含んでいる。
【００５４】
前記テールピース本体１３１は、適宜手段により弦楽器のボディ表面に固着され、前部に二つの軸受け部１３２，１３３を有している。また、前記弦末端固定部材１３５は、前記テールピース本体１３１の軸受け部１３２，１３３に軸支され、各弦Ｓの末端を固定する弦末端固定用軸部１３６と、前記テールピース本体１３１の軸受け部１３２，１３３の外側に位置するように前記弦末端固定用軸部１３６の両端にそれぞれ設けられた一対のジョイント部１３７，１３８を有している。前記ジョイント部１３７，１３８は、当該トレモロ装置（トレモロユニット）１３０の揺動部に相当する。なお、図示の例では、前記弦末端固定用軸部１３６には各弦Ｓを挿通するための貫通孔１３６ａが形成され、該貫通孔１３６ａに挿通された弦Ｓの末端に取り付けられた弦止め部Ｓａが前記貫通孔１３６ａ周縁で係止されている。さらに、図示の例では、トレモロ演奏をしない通常時における弦末端固定用軸部１３６の前側面に、弦Ｓの弦止め部Ｓａが位置するように、弦Ｓを半回転した状態で前記弦末端固定用軸部１３６に固定している。
【００５５】
また、前記スプリング１４０，１４１は、前記弦末端固定部材１３５の両ジョイント部１３７，１３８を付勢するもので、前記テールピース本体１３１と弦末端固定部材１３５の両ジョイント部１３７，１３８との間にそれぞれ装着されている。
【００５６】
前記トレモロアーム１５０は、前記弦末端固定部材１３５のジョイント部１３７，１３８の揺動を操るためのものであり、該ジョイント部１３７，１３８の表面に取り外し自在に取り付けられている。当該トレモロアーム１５０は、図１７からよりよく理解されるように、互いに対向する一対の取付部１５１，１５２と、弦Ｓの張設方向Ｘに略直交するように（図示の例では前記弦末端固定部材１３５の弦末端固定用軸部１３６に平行となるように）、前記両取付部１５１，１５２間に一体に形成された操作部１５５を有した、平面視略コ字形状のものからなる。また、この実施例においては、前記取付部１５１，１５２の取付端部１５１ａ，１５２ａは内側に膨出した形状に形成され、かつ該取付端部１５１ａ，１５２ａに固定部材挿通孔１５３，１５４が形成されている。そして、前記固定部材挿通孔１５３，１５４を介して、クリップやねじ部材等の固定部材１６０，１６１により当該トレモロアーム１５０が弦末端固定部材１３５のジョイント部１３７，１３８に着脱自在に固定されている。さらに、この実施例では、前記トレモロアーム１５０は、その操作部１５５が両取付部１５１，１５２に対して弦Ｓの張設方向Ｘの後方に位置するように、弦末端固定部材１３５のジョイント部１３７，１３８に取り付けられている。
【００５７】
このようにしてなるトレモロ装置１３０においては、前記トレモロアーム１５０の操作部１５５をボディ方向に押さえると、弦末端固定部材１３５のジョイント部１３７，１３８が弦張力及びスプリング１４０，１４１の力に逆らってスプリング圧縮方向に揺動し、前記弦末端固定部材１３５の弦末端固定用軸部１３６が回転（弦Ｓの巻き取り方向に回転）し、各弦Ｓの張力が変更、具体的にはピッチアップされるトレモロ効果を得ることができる。なお、このトレモロ装置１３０は、主に前記ピッチアップする場合に好適であるが、前記トレモロアーム１５０の操作部１５５を手前に引くことにより、弦末端固定部材１３５の弦末端固定用軸部１３６を前記方向とは反対方向（弦Ｓの巻き出し方向）に回転させ、ピッチダウンさせることも可能である。
なお、本発明は、上述した各実施例に限定されるものではなく、発明の趣旨を逸脱しない範囲において構成の一部を適宜に変更して実施することができる。
【００５８】
【発明の効果】
以上図示し説明したように、請求項１の発明に係るトレモロアームによれば、トレモロ演奏をしない時等の演奏の邪魔にならないと共に、二つの取付部で取り付けられる構造となっているので、従来の如くトレモロ演奏中にトレモロアームが回転することがなく、安定性が向上され、しかも、トレモロ演奏を行う際の操作性が良好となる。したがって、演奏者の巧拙に拘らず、従来ものと比較し容易にトレモロ効果及びビブラート効果を得ることができる。特に、従来困難であった、変化幅が比較的小さい微妙なピッチ変化を目的とするトレモロ演奏も容易に行うことができる。のみならず、当該トレモロアームは、トレモロユニットに自在に取り外しができるので、トレモロ演奏を必要としない場合には、該トレモロアームを取り外した状態で演奏することもでき、各演奏者の好みに適応することができる。
【００５９】
特に、請求項２の発明のように前記操作部が両取付部に対して弦の張設方向の後方に位置するようにすれば、前記操作部が弦のピッキング位置からある程度離れると共に、該操作部が弦楽器のボディに対するトレモロユニットの揺動支点からも離れるので、より一層、トレモロアームの操作性が良くなる。さらに、請求項３の発明の如く、両取付部のそれぞれに屈曲部を設けるようにすれば、前記屈曲部の屈曲方向及び屈曲角度に応じて、前記操作部の位置及び高さを変えることができ、各演奏者の多様な好みに応ずることができる。
【００６０】
請求項４ないし９に係るトレモロ装置の発明によれば、前述の効果を有するトレモロアームを効果的に使用した、ブリッジタイプのトレモロ装置が得られる。また、請求項１０及び請求項１１に係るトレモロ装置の発明によれば、トラディショナルスタイルのギターにおいて良く用いられるテールピースとブリッジが独立して構成されるテールピースタイプのトレモロ装置にも、前記トレモロアームを使用可能となり、該トレモロアームの取付可能なギターの幅が大きく広がる。なお、当該二つのタイプのトレモロ装置は、新たな演奏形態を生み出し、演奏の幅を飛躍的に向上させることに大きく貢献する期待が大である。
【００６１】
また、特に、ブリッジタイプのトレモロ装置において、請求項５の発明に規定した構造によりトレモロアームをベースプレートに取り付けるようにすれば、極めて容易にトレモロアームの着脱を行うことができる。さらに、請求項６の発明のように構成すれば、仮にトレモロアームに加工誤差が生じても、トレモロアームの着脱をスムーズに行えると共に、ベースプレートへの取付後に当該トレモロアームが回転したり、傾いたり、ガタつく等の不具合の発生を防げる。
【００６２】
またさらに、請求項７の発明のように、前記トレモロアームの操作部の位置をベースプレートの揺動支点から３０〜８０ｍｍに限定すれば、前記操作部の位置が最適になり、演奏者は弾弦しながらトレモロアームを極めて良好に操作できるようになる。
【００６３】
加えて、請求項８の発明のように、ベースプレート上に配置される弦を支持するブリッジサドルを各弦に対応してそれぞれ独立させれば、各弦のオクターブ微調整が可能となる。さらに、請求項９に係るトレモロ装置によれば、各弦毎のピッチの微調整（ファインチューニング）が可能となるとともに、前記微調整を行うための各調節ねじ部材の上方にトレモロアームの操作部が位置するため、前記操作部で各調節ねじ部材が保護され、該各調節ねじ部材に手が触れたりしてチューニングが狂うのを極力防ぐことができる。
【図面の簡単な説明】
【図１】本発明の第１実施例に係るトレモロ装置を有するエレキギターの斜視図である。
【図２】同実施例におけるトレモロ装置の一部部材を省略した状態を示す斜視図である。
【図３】同実施例におけるトレモロ装置及びその周辺を示す断面図である。
【図４】同実施例のトレモロ装置に取り付けられるトレモロアームを示す斜視図である。
【図５】同実施例におけるトレモロアームの取付構造を示す断面図である。
【図６】本発明の第２実施例におけるトレモロアーム及びその細い取付部側における取付構造を示す図である。
【図７】本発明の第３実施例におけるトレモロアーム及びその短い取付部側における取付構造を示す図である。
【図８】本発明の第４実施例に係るトレモロ装置の一部部材を省略した状態を示す斜視図である。
【図９】同実施例のトレモロ装置に取り付けられるトレモロアームを示す斜視図である。
【図１０】本発明の第５実施例に係るトレモロアーム及びその取付構造を示す図である。
【図１１】本発明の第６実施例に係るトレモロ装置の一部部材を省略した状態を示す斜視図である。
【図１２】同実施例のトレモロ装置に取り付けられるトレモロアームを示す斜視図である。
【図１３】本発明の第７実施例に係るトレモロ装置の一部部材を省略した状態を示す斜視図である。
【図１４】本発明の第８実施例に係るトレモロ装置の一部部材を省略した状態を示す斜視図である。
【図１５】本発明の第９実施例に係るテールピース式トレモロ装置の一部部材を省略した状態を示す斜視図である。
【図１６】本発明の第１０実施例に係るテールピース式トレモロ装置を示す斜視図である。
【図１７】同実施例のトレモロ装置に取り付けられるトレモロアームを示す斜視図である。
【符号の説明】
１  トレモロ装置
１０  ベースプレート
２０  ブリッジサドル
２１  サドル保持部材
２５  サドル本体
３１  回動調節棒
３５  付勢手段
３６  調節ねじ部材
４０  トレモロブロック
４５  トレモロスプリング
５０  トレモロアーム
５１，５２  トレモロアームの取付部
５５  トレモロアームの操作部
６０  筒状受け部材
６１  筒状受け部材の取付部挿通孔
６３  係止用バネ部材
６４  係止用バネ部材の係止爪部
７１  トレモロアームの取付部の凹溝
Ｇ  弦楽器
Ｂ  ボディ
Ｓ  弦
【図１】
0003574616.tif 000002
【図２】
0003574616.tif 000003
【図３】
0003574616.tif 000004
【図４】
0003574616.tif 000005
【図５】
0003574616.tif 000006
【図６】
0003574616.tif 000007
【図７】
0003574616.tif 000008
【図８】
0003574616.tif 000009
【図９】
0003574616.tif 000010
【図１０】
0003574616.tif 000011
【図１１】
0003574616.tif 000012
【図１２】
0003574616.tif 000013
【図１３】
0003574616.tif 000014
【図１４】
0003574616.tif 000015
【図１５】
0003574616.tif 000016
【図１６】
0003574616.tif 000017
【図１７】
0003574616.tif 000018